(57)【特許請求の範囲】
【請求項１】
液透過性のトップシートと、液不透過性のバックシートと、トップシート及びバックシートの間に配置された吸収体とを有する吸収性物品であって、
前記吸収体は、長手方向に沿って延びる直線状の複数の凸型立体形状部を有し、
前記凸型立体形状部は、吸収体の幅方向両端部のそれぞれに、少なくとも１本ずつ配置されて、防漏壁を形成し、
さらに、前記凸型立体形状部と直交する方向に延びる凸型立体形状部を、前記吸収体の長手方向両端部に設け、
前記凸型立体形状部は、その幅方向の寸法が３ｍｍ以上３０ｍｍ以下、高さが２ｍｍ以上１０ｍｍ以下であり、長さが、吸収体の長手方向の全長に対して８０％以上であり、
前記凸型立体形状部は、幅方向に隣り合う凸部同士が１０ｍｍ以上離間して配置されている、吸収性物品。
【請求項２】
前記トップシートが、前記凸型立体形状部の外表面と接触して、前記吸収体の上面とホットメルト接着剤により接合されている、請求項１に記載の吸収性物品。
【請求項３】
前記トップシートが、前記凸型立体形状部の凸部頂面と接触して、前記凸部頂面とホットメルト接着剤により接合されている、請求項１に記載の吸収性物品。
【請求項４】
前記凸型立体形状部の左右両端部における最外縁は、立体ギャザーの固定部よりも内側に配置されている、請求項１から３のいずれかに記載の吸収性物品。
【請求項５】
長手方向の寸法が３００ｍｍ以上６００ｍｍ以下であり、幅方向の寸法が１００ｍｍ以上２００ｍｍ以下である、請求項１から４のいずれかに記載の吸収性物品。
【請求項６】
パンツタイプの紙おむつと併用されるパンツ用尿取りパッドである、請求項１から５の
いずれかに記載の吸収性物品。
【発明の詳細な説明】
【技術分野】
【０００１】
本発明は、体液の漏れが抑制され、フィット性の改善された吸収性物品に関する。
【背景技術】
【０００２】
一般的に大人用紙おむつには、テープ止めタイプ、尿取りパッド、パンツタイプ等があり、これらの紙おむつは着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつは、それ自体を単独で使用する場合と、その内側に尿取りパッドを併用する場合があるが、現在は、尿取りパッドと併用し、吸収性物品である尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで紙おむつを使用できるためである。
【０００４】
ここで、パンツタイプの紙おむつと併用される尿取りパッドについては、その全体を紙おむつの内装パッドの立体ギャザーの内側に収める必要があるため、尿取りパッドの長さ、幅、面積ともに、テープ止めタイプの紙おむつと併用される尿取りパッドよりも小さくせざるを得ない。そして、尿取りパッドのサイズが小さいために、吸収した尿が広がりやすく、尿取りパッドの前後左右端部から漏れやすいという問題点があった。このような漏れの問題や、吸収性能の改善の問題に対処した発明としては、例えば、以下の発明が開示されている。
【０００５】
例えば、特許文献１には、長手方向と幅方向を有する吸収性物品であって、少なくとも体液排出部を含む領域に、吸収性物品の長手方向に沿って所定の凸部及び凹部が連続する波状加工が施された吸収性物品が開示されている。また、特許文献２には、トップシートが、吸収体から上方へ隆起して幅方向に延びるとともに、長手方向に所定寸法離間して並ぶ複数条の凸部と、この凸部の間を幅方向に延びる複数条の凹部とを有し、トップシートに、厚み方向に貫通する多数の開口部が形成された吸収性物品が開示されている。さらに、特許文献３には、吸収体に、相対的に坪量が高く、バックシート側に凸となる、所定の複数の凸部、及び各凸部を囲んで相対的に坪量が低く、バックシート側からトップシート側に向かって凹んだ溝部からなるブロック構造が縦方向に複数配置されたブロック領域を有する吸収性物品が開示されている。
【先行技術文献】
【特許文献】
【０００６】
【特許文献１】特開２００２−３０６５３３号公報
【特許文献２】特開２００７−１７５５１５号公報
【特許文献３】特開２０１３−２５５５６２号公報
【発明の概要】
【発明が解決しようとする課題】
【０００７】
しかしながら、特許文献１から３に記載の吸収性物品のいずれも、吸収体における体液の縦方向の拡散性、吸収速度、漏れ防止性能、液戻り性、フィット性の全てを満足するものではない。したがって、本発明は以上の課題に鑑みてなされたものであり、体液の縦方向の拡散性、吸収速度、漏れ防止性能、液戻り性、フィット性がいずれも改善された吸収性物品を提供することを目的とする。
【課題を解決するための手段】
【０００８】
本発明の発明者らは、上記の課題に鑑み、鋭意研究を行った。その結果、吸収体に長手方向に沿って延びる直線状の複数の所定の凸型立体形状部を設けることにより、上記の課題を解決できることを見出し、本発明を完成するに至った。具体的には、本発明は以下のものを提供する。
【０００９】
（１）本発明の第１の態様は、液透過性のトップシートと、液不透過性のバックシートと、トップシート及びバックシートの間に配置された吸収体とを有する吸収性物品であって、前記吸収体は、長手方向に沿って延びる直線状の複数の凸型立体形状部を有し、前記凸型立体形状部は、吸収体の幅方向両端部のそれぞれに、少なくとも１本ずつ配置されて、防漏壁を形成し、さらに、前記凸型立体形状部と直交する方向に延びる凸型立体形状部を、前記吸収体の長手方向両端部に設け、前記凸型立体形状部は、その幅方向の寸法が３ｍｍ以上３０ｍｍ以下、高さが２ｍｍ以上１０ｍｍ以下であり、長さが、吸収体の長手方向の全長に対して８０％以上であり、前記凸型立体形状部は、幅方向に隣り合う凸部同士が１０ｍｍ以上離間して配置されている、吸収性物品である。
【００１０】
（２）本発明の第２の態様は、（１）に記載の吸収性物品であって、前記トップシートが、前記凸型立体形状部の外表面と接触して、前記吸収体の上面とホットメルト接着剤により接合されていることを特徴とするものである。
【００１１】
（３）本発明の第３の態様は、（１）に記載の吸収性物品であって、前記トップシートが、前記凸型立体形状部の凸部頂面と接触して、前記凸部頂面とホットメルト接着剤により接合されていることを特徴とするものである。
【００１２】
（４）本発明の第４の態様は、（１）から（３）のいずれかに記載の吸収性物品であって、前記凸型立体形状部の左右両端部における最外縁は、立体ギャザーの固定部よりも内側に配置されていることを特徴とするものである。
【００１３】
（５）本発明の第５の態様は、（１）から（４）のいずれかに記載の吸収性物品であって、長手方向の寸法が３００ｍｍ以上６００ｍｍ以下であり、幅方向の寸法が１００ｍｍ以上２００ｍｍ以下であることを特徴とするものである。
【００１４】
（６）本発明の第６の態様は、（１）から（５）のいずれかに記載の吸収性物品であって、パンツタイプの紙おむつと併用されるパンツ用尿取りパッドであることを特徴とするものである。
【発明の効果】
【００１５】
本発明の吸収性物品は、吸収体が長手方向に沿って延びる直線状の複数の凸型立体形状部を有しているので、体液の縦方向の拡散性が改善されて体液の吸収速度が向上し、漏れ等も効果的に防止することができるとともに、液戻り性も改善することができる。また、上記の凸型立体形状部は、所定の長手方向及び幅方向の寸法、及び高さを有しているので、吸収性物品のフィット性も良好に維持される。
【図面の簡単な説明】
【００１６】
【図１】本発明の吸収性物品の平面図を示す図面である。
【図２】図１におけるＸ１−Ｘ１断面図を示す図面である。
【図３】実施例２の吸収性物品の平面図を示す図面である。
【図４】図３におけるＸ２−Ｘ２断面図を示す図面である。
【図５】実施例３の吸収性物品の平面図を示す図面である。
【図６】図５におけるＸ３−Ｘ３断面図を示す図面である。
【発明を実施するための形態】
【００１７】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよいが、本発明は、パンツタイプの使い捨ておむつと併用される尿取りパッドに好適に適用される。本発明の吸収性物品１は、長手方向の長さが３００ｍｍ以上６００ｍｍ以下、幅方向の長さが１００ｍｍ以上２００ｍｍ以下である吸収性物品に、特に好適に適用することができる。
【００１８】
図１、図３、及び図５は、本発明の吸収性物品の平面図を示す図面であり、図２、図４、及び図６は、ぞれぞれ、図１、図３、及び図５におけるＸ１−Ｘ１断面図、Ｘ２−Ｘ２断面図、及びＸ３−Ｘ３断面図を示す図面である。吸収性物品１は、身体側表面に配された液透過性のトップシート２１と、トップシート２１に対向して配置された液不透過性のバックシート２２と、トップシート２１とバックシート２２との間に少なくとも１層配置された吸収体２３と、を備えている。
【００１９】
また、図２に示すように、吸収性物品１には、使用者の排泄した体液の横漏れを防止するため、吸収性物品１の長手方向に沿って、トップシート２１上に、立体ギャザー用弾性部材２４ａを有する一対の立体ギャザー２４を備えていてもよい。吸収性物品１の幅方向における立体ギャザー２４の外端は、バックシート２２に固定され、その内端はトップシート２１に固着され、その中央はトップシート２１に固定されない自由端となるように、立体ギャザーシート２４ｂが配される。立体ギャザー用弾性部材２４ａを長手方向に沿って設けることで、立体ギャザー２４が起立性を有し、着用者の体型に合わせて変形可能なものとなる。立体ギャザー用弾性部材２４ａとしては、例えば、ポリウレタン糸、帯状のポリウレタンフィルム、糸状又は帯状の天然ゴム等が使用され、立体ギャザーシート２４ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２０】
［トップシート］
トップシート２１は、体液が吸収体へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１の坪量は、１８ｇ／ｍ２以上４０ｇ／ｍ２以下であることが好ましい。トップシート２１の形状としては特に制限はないが、漏れがないように体液を吸収体２３へと誘導するために必要とされる、吸収体２３を覆う形状であればよい。
【００２１】
図２に示すように、トップシート２１は、後述する凸型立体形状部２３１の身体側表面と接触して、吸収体２３の上面である身体側表面とホットメルト接着剤により接合されていることが好ましい。また、図４及び図６に示すように、本発明の別の態様においては、トップシート２１は、後述する凸型立体形状部２３１の凸部頂面と接触して、この凸部頂面及び吸収体２３の幅方向両端部とホットメルト接着剤により接合されていてもよい。このような構成を採用することにより、吸収体２３上に排泄された体液が、より前後方向に拡散しやすくなるとともに漏れが抑制され、吸収性物品１のフィット感も良好に維持される。
【００２２】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２３】
強度及び加工性の点から、バックシート２２の坪量は、１５ｇ／ｍ２以上４０ｇ／ｍ２以下であることが好ましい。また、装着時の蒸れを防止するため、バックシート２２は、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００２４】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２３の吸収性繊維は、吸収性能及び肌触りを損なわないよう、１００ｇ／ｍ２以上８００ｇ／ｍ２以下の坪量とすることが好ましい。
【００２５】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、５０ｇ／ｍ２以上５００ｇ／ｍ２以下の坪量とすることが好ましく、１５質量％以上５０質量％以下の含有量とすることが好ましい。
【００２６】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２７】
吸収体２３は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００２８】
（凸型立体形状部）
本発明の吸収性物品１において、吸収体２３は、長手方向に沿って延びる直線状の複数の凸型立体形状部２３１を有している。この凸型立体形状部２３１は、吸収体２３の幅方向両端部のそれぞれに、少なくとも１本ずつ配置されて、少なくとも１対の防漏壁を形成している。凸型立体形状部２３１は、具体的には、図１及び３に示すように、吸収体２３の長手方向に沿って、４本の凸型立体形状部２３１を平行に配置してもよいし、図５に示すように、吸収体２３の長手方向に沿って、４本の凸型立体形状部２３１を平行に配置し、さらに、これらの凸型立体形状部２３１と直交する方向に延びる凸型立体形状部２３１を、吸収体２３の長手方向両端部に設けてもよい。幅方向に延びる凸型立体形状部２３１を設けることにより、体液の背漏れ及び腹漏れが防止される。なお、凸型立体形状部２３１の本数は、４本に限定されず、凸型立体形状部２３１の寸法に関する所定の要件を充足する範囲内で、これよりも少なくてもよく、これよりも多くてもよい。このような凸型立体形状部２３１を有していることにより、体液の縦方向の拡散性が改善されて体液の吸収速度が向上し、漏れ等も効果的に防止することができるとともに、液戻り性も改善することができる。
【００２９】
凸型立体形状部２３１は、その幅方向の寸法が３ｍｍ以上３０ｍｍ以下、高さが２ｍｍ以上１０ｍｍ以下であり、長手方向の寸法が、吸収体２３の長手方向の全長に対して８０％以上である。凸型立体形状部２３１の寸法がこのようなものであることにより、凸型立体形状部２３１が体液の横漏れを防止する防漏壁としての機能を十分に果たしつつも、吸収性物品１のフィット性を良好に維持することができる。幅方向の寸法は、５ｍｍ以上２０ｍｍ以下であることが好ましく、高さは３ｍｍ以上６ｍｍ以下であることが好ましく、長手方向の寸法は、吸収体２３の長手方向の全長に対して８５％以上であることが好ましい。凸型立体形状部２３１は、幅方向に隣り合う凸部同士が１０ｍｍ以上離間しており、２０ｍｍ以上離間していることが好ましい。凸型立体形状部２３１同士がそのような距離で離間していることにより、体液の前後方向への拡散性や吸収性物品１のフィット性が良好に維持される。
【００３０】
凸型立体形状部２３１の左右両端部における最外縁は、立体ギャザー２４のトップシート２１への固定部よりも内側に配置されていることが好ましい。凸型立体形状部２３１の配置位置をこのように調整することにより、排泄された体液の横漏れを効果的に防止することができる。
【００３１】
本発明の吸収性物品１は、長手方向の寸法が３００ｍｍ以上６００ｍｍ以下、幅方向の寸法が１００ｍｍ以上２００ｍｍ以下のものであることが好ましい。また、吸収性物品１の形態は、尿取りパッドであることが好ましく、特にパンツタイプの使い捨て紙おむつと併用されるパンツ用尿取りパッドであることが好ましい。
【００３２】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２４をホットメルト系接着剤で固定・一体化する工程、（Ｃ）トップシート２１、立体ギャザー２４、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において吸収性物品１の吸収体２３を成形する際には、吸収体２３のトップシート２１側に、所定の凸型立体形状部２３１を形成すればよい。
【実施例】
【００３３】
以下、本発明について、実施例を挙げて詳細に説明する。なお、本発明は以下に示す実施例に何ら限定されるものではない。
【００３４】
＜実施例１＞
（吸収体の作製）
パルプシートを粉砕して解繊したフラッフパルプ２０ｇと、高吸収性ポリマー６ｇとをともに積繊した吸収体マットを準備し、長さ４００ｍｍ、幅１２０ｍｍにカットし、トップシート側に、表１に示すような凸型立体形状部を形成した吸収体を用意した。この吸収体を用いて、長さ４５０ｍｍ、幅１６０ｍｍの尿取りパッドを作製し、実施例１のサンプルとした。なお、トップシートとしては、エアスルー不織布（坪量２２ｇ／ｍ２）を用い、バックシートとしては、通気性ポリエチレンフィルム（坪量３５ｇ／ｍ２）を用いると共に、トップシート、バックシート、吸収体を一体化する際に、ホットメルト接着剤を用いてトップシートと吸収体上面とを接合した。得られた尿取りパッドの吸収速度、液戻り量、液拡散長を以下に従って測定・評価すると共に、モニターテストの官能評価により、横漏れし難さ、背漏れ及び腹漏れし難さ、股下部のフィット性を評価した。得られた結果を表１に示す。
【００３５】
（吸収速度）
外径８０ｍｍの円柱の中央に内径３０ｍｍの穴が開いており、重さ２ｋｇとした測定冶具を、トップシートを上に向けた状態で、尿取りパッドの長手方向、かつ幅方向の中央部の上に置き、上部の穴から生理食塩水１５０ｍｌを投下し、生理食塩水が尿取りパッドに接触した時点から、測定治具中央円内の円周に生理食塩水が完全に吸い込まれるまでを終点として時間を計測し、吸収速度とした。
【００３６】
（液戻り量）
吸収性物品の中央に生理食塩水３００ｍｌを注入し、１０分経過後に、予め重量を測定したろ紙（ＡＤＶＡＮＴＥＣ社製Ｎｏ．２ろ紙、直径５５ｍｍ）を注入部の中心に置き、ろ紙の上に６８７ｇの錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００３７】
（液拡散幅及び液拡散長）
吸収性物品を、トップシートを上に向けた状態で生理食塩水３００ｍＬｌを注水し、１０分後にトップシート上の液が到達した部位の最大幅と最大長さを測定した。
【００３８】
（横漏れし難さ）
２０名のパネラーにより、吸収性物品の着用時の横漏れについて、「横漏れがある」または「横漏れがない」の選択で調査を行い、以下の基準により評価を行った。
◎：「横漏れがない」が１６人以上２０人以下のとき
○：「横漏れがない」が１１人以上１５人以下のとき
△：「横漏れがない」が６人以上１０人以下のとき
×：「横漏れがない」がいないか、１人以上５人以下のとき
【００３９】
（背漏れ・腹漏れし難さ）
２０名のパネラーにより、吸収性物品の着用時の背漏れ・腹漏れについて、「背漏れ、腹漏れがある」または「背漏れ、腹漏れがない」の選択で調査を行い、以下の基準により評価を行った。
◎：「背漏れ、腹漏れがない」が１６人以上２０人以下のとき
○：「背漏れ、腹漏れがない」が１１人以上１５人以下のとき
△：「背漏れ、腹漏れがない」が６人以上１０人以下のとき
×：「背漏れ、腹漏れがない」がいないか、１人以上５人以下のとき
【００４０】
（フィット性）
２０名のパネラーにより、吸収性物品の着用時のフィット性について、「フィット性がよい」、「どちらでもない」、「フィット性がわるい」の何れか選択で調査を行い、以下の基準により評価を行った。
◎：「フィット性がよい」が１６人以上２０人以下のとき
○：「フィット性がよい」が１１人以上１５人以下のとき
△：「フィット性がよい」が６人以上１０人以下のとき
×：「フィット性がよい」がいないか、１人以上５人以下のとき
【００４１】
＜実施例２及び３、並びに比較例１＞
吸収体とトップシートを接合するにあたり、凸型立体形状部の頂面及び吸収体の幅方向両端部とトップシートとをホットメルト接着剤で接合して吸収体の溝部を接合せず（実施例２）、さらに、凸型立体形状部の配置を変更し（実施例３）、又は凸型立体形状部を形成しなかった（比較例１）点以外は、実施例１と同様にして吸収性物品を作成し、実施例１と同一の試験・評価を行った。なお、実施例２及び３の吸収性物品の平面図及び断面図を図３から６に示した。
【００４２】
以上の結果を表１に示す。
【表１】
0006701555.tif 000002
【００４３】
表１に示すように、実施例１の吸収性物品では、凸型立体形状部を設けなかった比較例１と比較して、吸収速度、液戻り性、液拡散性、横漏れし難さ、フィット性がいずれも改善されたものとなっている。さらに、幅方向に沿って凸型立体形状部を設けた実施例３では、これに対応して背漏れ及び腹漏れが改善された。したがって、本発明の吸収性物品は、体液の縦方向の拡散性、吸収速度、漏れ防止性能、液戻り性、フィット性がいずれも改善されていることが分かった。
【符号の説明】
【００４４】
１        吸収性物品
２１      トップシート
２２      バックシート
２３      吸収体
２３１    凸型立体形状部
２４      立体ギャザー
２４ａ    立体ギャザー用弾性部材
２４ｂ    立体ギャザーシート
Ｙ        長手方向
Ｘ        幅方向
【図１】
0006701555.tif 000003
【図２】
0006701555.tif 000004
【図３】
0006701555.tif 000005
【図４】
0006701555.tif 000006
【図５】
0006701555.tif 000007
【図６】
0006701555.tif 000008